(57)【要約】【課題】機器本体から延びるベルト２の第１ベルト部21と第２ベルト部23を互いに結束するバックル部材において、長期間の使用によってもベルト２に緩みが生じ難いバックル部材を提供する。【解決手段】本発明に係るバックル部材３は、ベルト２の第１ベルト部21が挿通されるべき第１空間38と、ベルト２の第２ベルト部23が挿通されるべき第２空間39とを有し、第２空間39に対向して、第２空間39に挿通された第２ベルト部23に対して弾性反発力により圧接されるべき天井壁35が形成されている。【選択図】図４
2012217505.tif 000002
【特許請求の範囲】
【請求項１】
機器本体から延びるベルトを折り返して形成される第１ベルト部と第２ベルト部を互いに結束するバックル部材において、第１ベルト部が挿通されるべき第１空間と、第２ベルト部が挿通されるべき第２空間とを有し、第２空間に対向して、第２空間に挿通された第２ベルト部に対して弾性反発力により圧接されるべき天井壁が形成されていることを特徴とするバックル部材。
【請求項２】
前記第２空間は、前記天井壁によって覆われた中央部にて前記第１空間と連通している請求項１に記載のバックル部材。
【請求項３】
前記第１空間と第２空間は、互いに連通する領域にて、ベルトの厚さ寸法の２倍よりも小さな高さ寸法を有している請求項２に記載のバックル部材。
【請求項４】
前記第１空間は直線上を延び、前記第２空間は、Ｕ字状若しくはＶ字状に屈曲している請求項１乃至請求項３の何れかに記載のバックル部材。
【請求項５】
前記天井壁は、その基端部が底壁上に片持ち支持されている請求項１乃至請求項４の何れかに記載のバックル部材。
【請求項６】
前記底壁の両側部に立設された２つの側壁と、第１空間の入口を覆うと共に前記２つの側壁に跨って形成された前方立上り壁と、第１空間の出口を覆うと共に前記２つの側壁に跨って形成された後方立上り壁とを具え、前記天井壁は、前記２つの側壁の内の一方の側壁の上端部から他方の側壁へ向けて突設され、前記底壁、２つの側壁、前方立上り壁及び後方立上り壁によって前記第１空間が包囲されると共に、前記前方立上り壁、後方立上り壁及び天井壁によって前記第２空間が包囲されている請求項１乃至請求項５の何れかに記載のバックル部材。
【請求項７】
前記天井壁には、ベルトの第２ベルト部との対向面に鋸歯面が形成され、該鋸歯面には、第２ベルト部に対して第２空間から引き抜く方向の力が作用したときに該第２ベルト部の移動に抵抗を与える方向に多数の歯が立っている請求項１乃至請求項６の何れかに記載のバックル部材。
【請求項８】
機器本体にベルトが連結され、該ベルトは、機器本体から延びる第１ベルト部と、機器本体に設けられた軸体にて折り返された第２ベルト部とを有し、第１ベルト部と第２ベルト部とはバックル部材によって互いに結束され、該バックル部材は、第１ベルト部が挿通されるべき第１空間と、第２ベルト部が挿通されるべき第２空間とを有し、第２空間と対向して、第２空間に挿通された第２ベルト部に対して弾性反発力により圧接されるべき天井壁が形成されていることを特徴とする電子機器。
【発明の詳細な説明】
【技術分野】
【０００１】
本発明は、ビデオカメラ等の電子機器において機器本体に連結されたベルトを長さ調節可能に結束するためのバックル部材に関するものである。
【背景技術】
【０００２】
従来、電子機器においては、機器本体にグリップベルト若しくはストラップベルト(以下、ベルトと総称する)を連結し、これによってベルトの長さ調節を可能とすると共に、機器本体を確実に把持若しくは携帯することを可能とすることが行なわれている(特許文献１、２参照)。
【０００３】
例えば、ビデオカメラにおいては、図７に示す如く、本体(９)の側部に、ベルト(８)が連結されており、該ベルト(８)は、本体(９)に設けられた軸体(91)にて折り返された折り返し部(81)を有し、折り返された２つのベルト部がバックル部材(７)により互いに結束されている。
バックル部材(７)は、ベルト(８)の長さ調整を可能とすると共に、折り返されて互いに重なる２つのベルト部を互いに圧接せしめ、摩擦力によって緩み防止を図っている。
又、面ファスナーを使用したグリップベルト装置も用いられている。
【先行技術文献】
【特許文献】
【０００４】
【特許文献１】特開平０８−０１００３１号公報
【特許文献２】特開２００７−１６４０７３号公報
【発明の概要】
【発明が解決しようとする課題】
【０００５】
しかしながら、機器本体にベルトが連結された従来の電子機器においては、バックル部材によって互いに圧接される２つのベルト部の表面が、長期間の使用によって徐々に滑らかとなり、バックル部材による圧接力は不十分であるため、２つのベルト部の間に生じる摩擦抵抗力が低下して、ベルトが緩み易くなる問題があった。
又、面ファスナーを使用したものは、着脱の繰り返しで結合部が劣化し、結合力が弱くなる問題があった。
そこで本発明の目的は、長期間の使用によってもベルトに緩みが生じ難いバックル部材及びこれを用いた電子機器を提供することである。
【課題を解決するための手段】
【０００６】
本発明に係るバックル部材は、機器本体から延びるベルト(２)を折り返して形成される第１ベルト部(21)と第２ベルト部(23)を互いに結束するものであって、第１ベルト部(21)が挿通されるべき第１空間(38)と、第２ベルト部(23)が挿通されるべき第２空間(39)とを有し、第２空間(39)に対向して、第２空間(39)に挿通された第２ベルト部(23)に対して弾性反発力により圧接されるべき天井壁(35)が形成されている。
【０００７】
上記本発明のバックル部材によれば、バックル部材(３)の第２空間(39)に挿通されたベルト(２)の第２ベルト部(23)が天井壁(35)に圧接されることにより、天井壁(35)と第２ベルト部(23)の間に摩擦抵抗が生じ、これによって、第２ベルト部(23)が第２空間(39)から引き抜かれる方向に力を受けたときの第２ベルト部(23)の移動が阻止される。
ここで、長期の使用によって第２ベルト部(23)の表面が滑らかになったとしても、天井壁(35)が第２ベルト部(23)を押圧する力はその弾性によって十分な大きさに維持されるので、その押圧力によって天井壁(35)と第２ベルト部(23)の間には十分な大きさの摩擦抵抗力が作用する。
【０００８】
具体的態様において、前記第２空間(39)は、前記天井壁(35)によって覆われた中央部にて前記第１空間(38)と連通している。
該具体的態様によれば、第１空間(38)を延びる第１ベルト部(21)と第２空間(39)を延びる第２ベルト部(23)とが互いに圧接され、この圧接によって、第１ベルト部(21)と第２ベルト部(23)の間に摩擦抵抗が生じ、第２空間(39)から引き抜かれる方向の第２ベルト部(23)の移動に対して抵抗が付与される。
【０００９】
又、具体的態様において、前記第１空間(38)と第２空間(39)は、互いに連通する領域にて、ベルト(２)の厚さ寸法の２倍よりも小さな高さ寸法を有している。
該具体的態様によれば、第１空間(38)に第１ベルト部(21)が挿通されると共に、第２空間(39)に第２ベルト部(23)が挿通されることによって、天井壁(35)が持ち上げられ、該天井壁(35)の変位に伴う弾性反発力によって、第２ベルト部(23)が押圧される。
【００１０】
又、具体的な態様において、前記天井壁(35)は、その基端部が底壁(31)上に片持ち支持されている。
該具体的態様によれば、天井壁(35)に大きな弾性変位量が与えられる。これによって、第２ベルト部(23)に対して引き抜き方向とは逆方向に引っ張り力を加えると、天井壁(35)が持ち上げられ、これに伴って天井壁(35)の自由端側の開口が拡大すると共に、第１ベルト部(21)が第２ベルト部(23)との圧接状態から離脱する。この結果、第２ベルト部(23)を、天井壁(35)の自由端側の開口から容易に引き出すことが出来る。
【００１１】
更に具体的な態様において、バックル部材は、底壁(31)の両側部に立設された２つの側壁(33)(34)と、第１空間(38)の入口を覆うと共に前記２つの側壁(33)(34)に跨って形成された前方立上り壁(36)と、第１空間(38)の出口を覆うと共に前記２つの側壁(33)(34)に跨って形成された後方立上り壁(37)とを具え、前記天井壁(35)は、前記２つの側壁(33)(34)の内の一方の側壁(33)の上端部から他方の側壁(34)へ向けて突設され、前記底壁(31)、２つの側壁(33)(34)、前方立上り壁(36)及び後方立上り壁(37)によって前記第１空間(38)が包囲されると共に、前記前方立上り壁(36)、後方立上り壁(37)及び天井壁(35)によって前記第２空間(39)が包囲されている。
【００１２】
該具体的態様によれば、ベルト(２)の第２ベルト部(23)は、バックル部材(３)の前方立上り壁(36)の上面端部と天井壁(35)の下面端部との間に挟持されると共に、後方立上り壁(37)の上面端部と天井壁(35)の下面端部との間に挟持された状態で、その中央部が第１ベルト部(21)の表面に圧接される。
これによって、ベルト(２)の第２ベルト部(23)に対して大きな拘束力が与えられることになる。
【００１３】
更に又、具体的な態様において、天井壁(35)には、ベルト(２)の第２ベルト部(23)との対向面に鋸歯面(30)が形成され、該鋸歯面(30)は、第２ベルト部(23)に対して第２空間(39)から引き抜く方向の力が作用したときに該第２ベルト部(23)の移動に大きな抵抗を与える方向に歯が立っている。
該具体的態様によれば、第２ベルト部(23)が第２空間(39)から引き抜かれる方向に力を受けた場合に、第２ベルト部(23)の移動がより確実に阻止される。
【発明の効果】
【００１４】
本発明に係るバックル部材及びこれを用いた電子機器によれば、長期間の使用によってもベルトに緩みが生じ難い。
【図面の簡単な説明】
【００１５】
【図１】図１は、本発明の一実施態様である電子機器においてバックル部材によるベルトの結束状態を示す断面図である。
【図２】図２は、該バックル部材によって結束されたベルトの先端部を引っ張ったときの状態を示す断面図である。
【図３】図３は、バックル部材の斜視図である。
【図４】図４は、バックル部材にベルトを挿通した状態を示す斜視図である。
【図５】図５は、バックル部材の正面図である。
【図６】図６は、バックル部材の側面図である。
【図７】図７は、従来のバックル部材を用いた電子機器の斜視図である。
【発明を実施するための形態】
【００１６】
以下、本発明を撮像機器に実施した形態につき、図面に沿って具体的に説明する。
図１に示す如く、本発明に係るバックル部材(３)は、合成樹脂の一体成型品であって、機器本体(１)に連結されたベルト(２)の第１ベルト部(21)と第２ベルト部(23)とを互いに結束するものである。
ベルト(２)の第１ベルト部(21)は、その基端部(20)が機器本体(１)にねじ等を用いて固定され、該基端部(20)から機器本体(１)に沿って延びており、機器本体(１)に設けられた軸体(11)にて折り返された折り返し部(22)を介して、第２ベルト部(23)に繋がっている。
【００１７】
バックル部材(３)には、図３及び図４に示す如く、ベルト(２)の第１ベルト部(21)が挿通されるべき第１空間(38)と、ベルト(２)の第２ベルト部(23)が挿通されるべき第２空間(39)とが形成されており、第２空間(39)は、その中央部にて第１空間(38)の中央部と連通している。
【００１８】
バックル部材(３)は、第１空間(38)に沿って拡がる底壁(31)と、底壁(31)の両側部に立設されて第１空間(38)を両側から挟み込む２つの側壁(33)(34)と、第１空間(38)の入口を覆う様に２つの側壁(33)(34)に跨って形成された前方立上り壁(36)と、第１空間(38)の出口を覆う様に２つの側壁(33)(34)に跨って形成された後方立上り壁(37)とを具えている。
【００１９】
バックル部材(３)の左側の側壁(34)は、右側の側壁(33)よりも高く形成され、左側の側壁(34)の上端部には、右側の側壁(33)へ向かって、天井壁(35)が突設されている。天井壁(35)は、底壁(31)と同一の幅と、底壁(31)よりも短い長さに形成されている。
この様にして、バックル部材(３)の前方立上り壁(36)、後方立上り壁(37)及び天井壁(35)により包囲された第２空間(39)が形成されている。
【００２０】
第１空間(38)は、図５に示す如くバックル部材(３)の内部を入口から出口に向かって直線上を延び、バックル部材(３)を貫通している。
これに対し、第２空間(39)は、図６に示す如く、前方立上り壁(36)の上面端部と天井壁(35)の下面端部とによって挟まれた入口と、後方立上り壁(37)の上面端部と天井壁(35)の下面端部とによって挟まれた出口と、天井壁(35)によって覆われた中央部とを有し、入口は中央部に向かって斜め下方に延び、中央部は第１空間(38)に沿って直線線上を延び、出口は中央部から斜め上方に延びている。
これによって、バックル部材(３)をＵ字状若しくはＶ字状に貫通する第２空間(39)が形成されている。
【００２１】
バックル部材(３)の天井壁(35)には、図５に示す如く右側の側壁(33)との対向面に、側壁(33)から離れる方向に傾斜する斜面(35a)が形成されている。これによって、第２空間(39)が、右側へ大きく開口することになる(図３参照)。
該開口を利用することによって、ベルト(２)の第２ベルト部(23)の着脱や、ベルト(２)の長さ調整を容易に行なうことが出来る。
又、天井壁(35)には、図６に示す如く第２空間(39)との対向面に、鋸歯面(30)が形成されている。鋸歯面(30)は、第２空間(39)の入口側から出口側へ傾く多数の歯を有している。
【００２２】
又、バックル部材(３)の第１空間(38)と第２空間(39)は、互いに連通する領域にて、ベルト(２)の厚さ寸法の２倍よりも僅かに小さな高さ寸法を有している。
従って、図１に示す様に、ベルト(２)の第１ベルト部(21)と第２ベルト部(23)がバックル部材(３)に挿通されることによって、バックル部材(３)の天井壁(35)は、底壁(31)から離間する方向に僅かに弾性変形し、その弾性反発力によってベルト(２)の第２ベルト部(23)の表面に圧接される。
【００２３】
上記バックル部材(３)によってベルト(２)の第１ベルト部(21)と第２ベルト部(23)とを互いに結束した撮像機器によれば、バックル部材(３)に挿通されたベルト(２)の第２ベルト部(23)が図１の矢印Ａで示す様に天井壁(35)の弾性反発力によって押圧され、この押圧に伴って、天井壁(35)と第２ベルト部(23)とが互いに圧接されると共に、第１ベルト部(21)と第２ベルト部(23)とが互いに圧接される。
【００２４】
ここで、ベルト(２)の第２ベルト部(23)は、バックル部材(３)の前方立上り壁(36)の上面端部と天井壁(35)の下面端部との間に挟持されると共に、後方立上り壁(37)の上面端部と天井壁(35)の下面端部との間に挟持された状態で、その中央部が第１ベルト部(21)の表面に圧接される。
【００２５】
この結果、ベルト(２)がバックル部材(３)から引き抜かれる方向に力を受けたとしても、バックル部材(３)の天井壁(35)とベルト(２)の第２ベルト部(23)との間に十分な大きさの摩擦抵抗が生じると共に、第１ベルト部(21)と第２ベルト部(23)との間にも摩擦抵抗が生じ、更に、天井壁(35)には鋸歯面(30)が形成されているので、ベルト(２)に緩みが生じ難い。
【００２６】
尚、長期の使用によってベルト(２)の表面が滑らかになったとしても、天井壁(35)が第２ベルト部(23)を押圧する力はその弾性によって十分な大きさに維持されるので、バックル部材(３)の天井壁(35)とベルト(２)の第２ベルト部(23)の間には十分な大きさの摩擦抵抗力が作用し、ベルト(２)が緩む虞は殆どない。
【００２７】
ベルト(２)の長さを調節するときは、図２に示す様に、第２ベルト部(23)の先端部(24)をバックル部材(３)から離す方向に引っ張る。これによって、バックル部材(３)の天井壁(35)は、図２中に矢印Ｃで示す様に底壁(31)から離間する方向へ僅かに変位し、ベルト(２)の第２ベルト部(23)は、図２中の矢印Ｂの如く引っ張り力の作用方向へ移動する。これによってベルト(２)の実効長は短くなる。
【００２８】
ベルト(２)の実効長を長くする場合は、先ず、第２ベルト部(23)の先端部(24)をバックル部材(３)から離す方向に引っ張って、バックル部材(３)の天井壁(35)を図２中に矢印Ｃで示す様に底壁(31)から離間する方向へ僅かに変位させた状態で、第２ベルト部(23)を図４に示す天井壁(35)の先端側の開口から引き出す。
この場合、第２ベルト部(23)は第１ベルト部(21)から離間しており、天井壁(35)の鋸歯面(30)は、第２ベルト部(23)の移動を阻止するものではないので、第２ベルト部(23)の引き出しは容易である。
【００２９】
そして、ベルト(２)の長さを調節した後、第２ベルト部(23)を図３に示す天井壁(35)の先端側の開口から第２空間(39)内へ押し込む。この際、天井壁(35)には、図３に示す如く右側の側壁(33)との対向面に、側壁(33)から離れる方向に傾斜する斜面(35a)が形成されているので、第２ベルト部(23)を第２空間(39)内へ押し込む操作は容易である。
【００３０】
上述の如く、本発明に係るバックル部材(３)によれば、バックル部材(３)の弾性を利用してベルト(２)の第１ベルト部(21)と第２ベルト部(23)とを結束するので、長期間の使用によってもベルト(２)に緩みが生じ難い。
【００３１】
尚、本発明の各部構成は上記実施の形態に限らず、特許請求の範囲に記載の技術的範囲内で種々の変形が可能である。又、本発明は、撮像機器に限らず、機器本体にベルトが連結された種々の電子機器に実施することが出来る。
更に又、本発明のバックル部材は、グリップベルトに限らず、ストラップベルトの結束に用いることも可能である。
【符号の説明】
【００３２】
(１)  機器本体
(11)  軸体
(２)  ベルト
(20)  基端部
(21)  第１ベルト部
(22)  折り返し部
(23)  第２ベルト部
(24)  先端部
(３)  バックル部材
(30)  鋸歯面
(31)  底壁
(33)  側壁
(34)  側壁
(35)  天井壁
(36)  前方立上り壁
(37)  後方立上り壁
(38)  第１空間
(39)  第２空間
【図１】
2012217505.tif 000003
【図２】
2012217505.tif 000004
【図３】
2012217505.tif 000005
【図４】
2012217505.tif 000006
【図５】
2012217505.tif 000007
【図６】
2012217505.tif 000008
【図７】
2012217505.tif 000009